(57)【要約】【課題】仕切り棚板部材が簡便に着脱でき、ケーブル類の被覆の損傷及び仕切り棚板部材の脱落を防止できるケーブル類保護案内装置を提供すること。【解決手段】ケーブル類収容空間Ｒ内のケーブル類Ｃを左右に仕分ける仕切り壁形成部材１３０と屈曲内周側及び屈曲外周側に仕分ける仕切り棚板部材１２０とを着脱自在に装着してなるケーブル類保護案内装置１００において、仕切り壁形成部材１３０がケーブル類Ｃと非接触状態で多段配置されて仕切り壁面の一部を形成する複数の棚装着用突起１３３を備えているとともに、前記仕切り棚板部材１２０が棚装着用突起１３３と係合する突起係合用アダプタ１２２を棚板長手方向の両端部に備えていること。【選択図】図１
2006132695.tif 000002
【特許請求の範囲】
【請求項１】
左右一対のリンクプレートの屈曲内周側及び屈曲外周側に連結板をそれぞれ横架した矩形状枠断面のリンク枠体が、前記リンクプレートに設けた連結ピンと連結ピン孔とで相互に屈曲自在に多数連結されてケーブル類を挿通して案内保護するケーブル類収容空間を形成するとともに、前記ケーブル類収容空間内のケーブル類を左右に仕分ける仕切り壁形成部材と屈曲内周側及び屈曲外周側に仕分ける仕切り棚板部材とを着脱自在に装着してなるケーブル類保護案内装置において、
前記仕切り壁形成部材が、ケーブル類と非接触状態で多段配置されて仕切り壁面の一部を形成する複数の棚装着用突起を備えているとともに、
前記仕切り棚板部材が、前記棚装着用突起と係合する突起係合用アダプタを棚板長手方向の両端部に備えていることを特徴とするケーブル類保護案内装置。
【請求項２】
前記棚装着用突起が、突起周面上に凸状脱落防止部を備えているとともに、前記突起係合用アダプタが、前記棚装着用突起の凸状脱落防止部に凹凸嵌合する凹状脱落防止部を備えていることを特徴とする請求項１記載のケーブル類保護案内装置。
【請求項３】
前記突起係合用アダプタが、上下に隣り合う２本の前記棚装着用突起に分岐して係合する２つの係止用孔部を備えていることを特徴とする請求項１または請求項２記載のケーブル類保護案内装置。
【発明の詳細な説明】
【技術分野】
【０００１】
本発明は、ケーブル類保護案内装置に係り、更に詳しくは、産業用機械の可動部材に電力や圧縮空気のエネルギーを供給するケーブルやホース等のケーブル類を収容すると共に、可動部の移動中においてもケーブル類を安全にかつ確実に案内支持するのに好適なケーブル類保護案内装置に関するものである。
【背景技術】
【０００２】
従来、ケーブル類収容空間内でケーブル類を多段に仕分けるケーブル類保護案内装置が知られている。この従来のケーブル類保護案内装置は、仕切ウェブにクサビ形の保持溝部を設け、その保持溝部に中間ウェブの固定ラグを嵌合させる構造を有している。また、この従来のケーブル類保護案内装置は、中間ウェブに前述の固定ラグとは別の固定スタッドを設け、この固定スタッドに対応して仕切ウェブに固定穴部を設けることで、それら固定スタッドと固定穴部により仕切ウェブから中間ウェブが脱落するのを防止している（例えば、特許文献１参照）。
【特許文献１】特許第２５４８６１０号公報
【発明の開示】
【発明が解決しようとする課題】
【０００３】
ところが、従来のケーブル類保護案内装置は、横ウェブを閉めた状態で仕切ウェブを固定していないと、中間ウェブの取り付け作業が困難であり、さらに、中間ウェブの取り付けられる一対の仕切ウェブを同時に捻って固定スタッドの係合を解除しなければ中間ウェブを外すことができないため、ケーブル類交換時などの横ウェブを閉めた仕切ウェブ固定状態における中間ウェブの取り外し作業が困難であった。
【０００４】
また、従来のケーブル類保護案内装置では、多段にケーブル類を挿入する利用形態では、ケーブル類の重みにより中間ウェブが仕切ウェブから脱落する可能性があり、多段に連続して中間ウェブを組み込むのが困難であった。
【０００５】
すなわち、従来のケーブル類保護案内装置では、仕切ウェブからなる仕切り壁形成部材に対する中間ウェブからなる仕切り棚板部材の着脱作業が面倒であるという問題があるばかりでなく、仕切り壁形成部材から仕切り棚板部材が脱落する可能性が高いという問題があった。
【０００６】
さらに、従来のケーブル類保護案内装置では、仕切ウェブからなる仕切り壁形成部材に設けた保持溝部の角にケーブル類が接触してこのケーブル類の被覆を損傷するという問題があった。
【０００７】
そこで、本発明は、上述したような課題を解決するものであって、すなわち、本発明の目的は、仕切り棚板部材が簡便に着脱でき、ケーブル類の被覆の損傷及び仕切り棚板部材の脱落を防止できるケーブル類保護案内装置を提供することである。
【課題を解決するための手段】
【０００８】
本請求項１に係る発明は、左右一対のリンクプレートの屈曲内周側及び屈曲外周側に連結板をそれぞれ横架した矩形状枠断面のリンク枠体が、前記リンクプレートに設けた連結ピンと連結ピン孔とで相互に屈曲自在に多数連結されてケーブル類を挿通して案内保護するケーブル類収容空間を形成するとともに、前記ケーブル類収容空間内のケーブル類を左右に仕分ける仕切り壁形成部材と屈曲内周側及び屈曲外周側に仕分ける仕切り棚板部材とを着脱自在に装着してなるケーブル類保護案内装置において、前記仕切り壁形成部材が、ケーブル類と非接触状態で多段配置されて仕切り壁面の一部を形成する複数の棚装着用突起を備えているとともに、前記仕切り棚板部材が、仕切り壁形成部材の棚装着用突起に係合する突起係合用アダプタを棚板長手方向の両端部に備えていることによって、上記目的を達成するものである。
【０００９】
また、本請求項２に係る発明は、本請求項１の発明の構成に加えて、前記棚装着用突起が、突起周面上に凸状脱落防止部を備えているとともに、前記突起係合用アダプタが、前記棚装着用突起の凸状脱落防止部に凹凸嵌合する凹状脱落防止部を備えていることによって、上記目的を達成するものである。
【００１０】
また、本請求項３に係る発明は、本請求項１または請求項２のいずれかの発明の構成に加えて、前記突起係合用アダプタが、上下に隣り合う２本の前記棚装着用突起に分岐して係合する２つの係止用孔部を備えていることによって、上記目的を達成するものである。
【発明の効果】
【００１１】
本請求項１に係る発明によれば、ケーブル類保護案内装置の仕切り壁形成部材が、ケーブル類と非接触状態で多段配置されて仕切り壁面の一部を形成する複数の棚装着用突起を備えているため、挿通したケーブル類と棚装着用突起との接触を回避してケーブル類の被覆部分における損傷を未然に防止でき、また、仕切り壁形成部材の棚装着用突起に係合する仕切り棚板部材の突起係合用アダプタが棚板長手方向の両端部に備えているため、所望の棚装着用突起に突起係合用アダプタを係合させて仕切り壁形成部材と仕切り棚板部材との着脱を簡便に達成できる。
【００１２】
また、本請求項２に係る発明によれば、本請求項１の発明が奏する効果に加えて、前記棚装着用突起が、突起周面上に凸状脱落防止部を備えているとともに、前記突起係合用アダプタが、前記棚装着用突起の凸状脱落防止部に凹凸嵌合する凹状脱落防止部を備えているため、仕切り壁形成部材の凸状脱落防止部と仕切り棚板部材の凹状脱落防止部とが係合することにより、仕切り棚板部材が仕切り壁形成部材から脱落するのを防止できる。
【００１３】
また、本請求項３に係る発明は、本請求項１または請求項２の発明が奏する効果に加えて、前記突起係合用アダプタが、上下に隣り合う２本の棚装着用突起に分岐して係合する２つの係止用孔部を備えているため、突起係合用アダプタが２本の棚装着用突起に係合することにより、仕切り棚板部材に加わるケーブル類などの荷重が大きくても仕切り壁形成部材から仕切り棚板部材が脱落するのを防止して仕切り壁形成部材と仕切り棚板部材とが破損するのを防止できる。
【発明を実施するための最良の形態】
【００１４】
以下、本発明に係るケーブル類保護案内装置の実施の形態について添付図面を参照して説明する。
図１は、本発明の第１実施例であるケーブル類保護案内装置１００の斜視図であり、図２は、本実施例で用いた仕切り壁形成部材１３０の斜視図であり、図３は、本実施例で用いた仕切り棚板部材１２０の斜視図であり、図４は、仕切り棚板部材１２０と仕切り壁形成部材１３０との組み付け状態を示す図であり、図５は、フリーロール１３５の組み付け状態を示す図である。
【００１５】
図１に示すような本発明の第１実施例であるケーブル類保護案内装置１００は、例えば、半導体用のチップマウンターや、工作機械や、車両等の可動部と静止部とを接続する電気信号の伝達や電力の供給を行う電気ケーブルや油圧や空圧を供給するホースのようなケーブル類Ｃを保護案内するために使用されるものであって、矩形状のリンク枠体１１０が長尺状に多数連結され、可動部と静止部（図示しない）との間の移動状況に応じて直線状態、あるいは屈曲状態を呈することができ、これらのリンク枠体１１０が連続して形成されたケーブル類収容空間Ｒ内にケーブル類Ｃを挿通した状態で保護案内できるようになっている。
【００１６】
前述したリンク枠体１１０は、例えば、優れた強度特性を発揮できるガラス繊維強化ポリアミド系樹脂によって成形され、離間配置された左右一対のリンクプレート１１１、１１１と、該リンクプレート１１１、１１１の屈曲内周側に横架された屈曲内周側連結板１１２と屈曲外周側に横架された屈曲外周側連結板１１３とで矩形状に一体化されている。
【００１７】
すなわち、屈曲内周側連結板１１２は、左右一対のリンクプレート１１１、１１１と射出成形加工によって一体化されているが、屈曲外周側連結板１１３は、一端が片方のリンクプレート１１１に回動可能に連結され、他端がもう片方のリンクプレート１１１に係合可能に開閉できるようになっている。
【００１８】
そして、リンクプレート１１１のプレート前方とプレート後方とは、プレート厚み方向に段差を形成した、所謂、オフセット構造を呈しており、さらに、リンクプレート１１１のプレート後方には、連結ピン１１４が設けられているとともに、プレート前方には、連結ピン１１４と略同一径の連結ピン孔１１５が設けられている。
【００１９】
したがって、リンク枠体１１０同士は、相互に連続して配置されるリンクプレート１１１、１１１の連結ピン１１４と連結ピン孔１１５とを嵌め込むことで連結され、連結ピン１１４を中心に屈曲することができるようになっている。
【００２０】
そこで、本実施例のケーブル類保護案内装置１００が最も特徴としているリンク枠体１１０内の仕切り構造について以下に詳しく説明する。
すなわち、本実施例のケーブル類保護案内装置１００には、一対のリンクプレート１１１ごとにケーブル類収容空間Ｒ内のケーブル類Ｃを屈曲内周側と屈曲外周側とに仕分ける仕切り棚板部材１２０と、一対のリンクプレート方向（以下、単に「左右方向」という）に仕分ける一対の仕切り壁形成部材１３０とが着脱自在に装着されている。
【００２１】
具体的には、前記仕切り壁形成部材１３０が、優れた強度特性を発揮できるガラス繊維強化ポリアミド系樹脂などによって成形され、この仕切り壁形成部材１３０を形成するコの字状フレーム１３１の屈曲内周側と屈曲外周側にそれぞれ設けられた爪部１３２、１３２が、屈曲内周側連結板１１２及び屈曲外周側連結板１１３を所望位置でそれぞれ掴み保持するようになっている。
【００２２】
前記仕切り壁形成部材１３０には、ケーブル類Ｃと非接触状態で多段配置されて仕切り壁面の一部を形成する複数の棚装着用突起１３３が設けられ、さらに、この棚装着用突起１３３には、その突起周面上の略中央に凸状脱落防止部１３３ａが形成されている。
本実施例の場合、棚装着用突起１３３は、ピン形状のものを採用しているが、コの字状フレーム１３１の厚みの範囲に収まってケーブル類Ｃとの接触を回避できるような形状のものであれば、これ以外の形状であっても何ら差し支えない。
【００２３】
また、図３乃至図４に示すように、仕切り壁形成部材１３０に装着する仕切り棚板部材１２０には、ケーブル類Ｃを屈曲内周側と屈曲外周側とに仕分ける棚板本体１２１とこの棚板本体１２１の両端部に設けられて前記棚装着用突起１３３に係合する２個の突起係合用アダプタ１２２、１２２が設けられている。
そして、仕切り棚板部材１２０の突起係合用アダプタ１２２には、前述した仕切り壁形成部材１３０の棚装着用突起１３３に嵌合する係止用孔部１２２ａが形成されており、この係止用孔部１２２ａの孔径は、前述した棚装着用突起１３３のピン径と略同じ径となっている。
【００２４】
また、突起係合用アダプタ１２２には、前述した仕切り壁形成部材１３０の凸状脱落防止部１３３ａと係合することで仕切り棚板部材１２０の脱落を回避する凹状脱落防止部１２２ｂが前記係止用孔部１２２ａの一部を開放する状態で設けられ、さらに、前記凹状脱落防止部１２２ｂに連続して弾性変形させるたスリット部１２２ｃが前記係止用孔部１２２ａの一部を切り欠いて設けられ、前述した仕切り壁形成部材１３０の凸状脱落防止部１３３ａが嵌合する際に生じる挿通抵抗を回避するようになっている。
【００２５】
さらに、図５に示すように、仕切り壁形成部材１３０を形成するコの字状フレーム１３１の開口側に設けた軸受け孔部１３４には、仕切り棚板部材１２０の脱落と、ケーブル収容空間Ｒ内に挿通したケーブル類Ｃの被覆損傷を回避するフリーロール１３５が着脱自在に装着されている。そして、前記フリーロール１３５のロール径は、仕切り壁形成部材１３０のコの字状フレーム１３１の厚みより大きくなっており、コの字状フレーム１３１とケーブル類Ｃとの接触を回避できるようになっている。
【００２６】
なお、本実施例における仕切り棚板部材１２０の棚板本体１２１は、アルミの押し出し加工品なので任意の長さに切断でき、長さを容易に調整できるので、従来のように幅ごとに合せた樹脂の射出成型金型を沢山作らなくても良く、大幅なコストダウンが達成可能であるが、アルミの押し出し品でなく優れた強度特性を発揮できるガラス繊維強化ポリアミド系樹脂などからなる押し出し品でも代用可能である。
前記仕切り棚板部材１２０の突起係合用アダプタ１２２は、優れた強度特性を発揮できるガラス繊維強化ポリアミド系樹脂などの樹脂成型品からなっているが、これ以外の金属成型品などであっても良い。
【００２７】
また、図４乃至図５は、図１に示すケーブル類保護案内装置１００の変形例であって、３つの仕切り壁形成部材１３０Ａ、１３０Ｂ、１３０Ｃと、２つの仕切り棚板部材１２０Ａ、１２０Ｂとを組み付ける場合を示している。
【００２８】
すなわち、３つの仕切り壁形成部材１３０Ａ、１３０Ｂ、１３０Ｃを図示しない屈曲内周側連結板１１２にそれぞれ装着する。そして、２つの仕切り棚板部材１２０Ａ、１２０Ｂは、これらの高さ位置が同じとなるように、仕切り棚板部材１２０Ａと仕切り棚板部材１２０Ｂとを相互に裏表の配置状態で仕切り壁形成部材１３０Ａ、１３０Ｂ、１３０Ｃに装着する。
【００２９】
図４に示すように、仕切り棚板部材１２０Ａの両端に設けた２つの突起係合用アダプタ１２２の係止用孔部１２２ａ，１２２ａは、仕切り壁形成部材１３０Ａと仕切り壁形成部材１３０Ｂの上から４段目の棚装着用突起１３３、１３３に嵌合するように装着する。また、仕切り棚板部材１２０Ｂの両端に備わる２つの突起係合用アダプタ１２２の係止用孔部１２２ａ、１２２ａが、仕切り壁形成部材１３０Ｂと仕切り壁形成部材１３０Ｃの上から３段目の棚装着用突起１３３、１３３にそれぞれ嵌合するように装着される。
つぎに、図５に示すように、仕切り棚板部材１２０Ａと仕切り棚板部材１２０Ｂとが、相互に裏表の配置状態で仕切り壁形成部材１３０Ａ、仕切り壁形成部材１３０Ｂ、仕切り壁形成部材１３０Ｃの間に装着され、仕切り壁形成部材１３０Ａ、１３０Ｂ、１３０Ｃにフリーロール１３５Ａ、１３５Ｂ、１３５Ｃがそれぞれ回動自在に装着される。これらのフリーロール１３５Ａ、１３５Ｂ、１３５Ｃを装着する際には、図５の仕切り壁形成部材１３０Ｃとフリーロール１３５Ｃに示すように、仕切り壁形成部材１３０Ｃの上下の端部を引張って変形させてから仕切り壁形成部材の軸受け孔部１３４、１３４の両方にフリーロール１３５Ｃの突出軸部を嵌め込んで、フリーロール１３５を回動自在に装着する。
最後に、屈曲外周側連結板１１３を閉めて仕切り壁形成部材１３０Ａ、１３０Ｂ、１３０Ｃを固定する。
【００３０】
また、本実施例のケーブル類保護案内装置１００の分解作業は、前述した組み付け作業の逆手順を行えばよい。すなわち、屈曲外周側連結板１１３を開けてフリーロール１３５Ａ、１３５Ｂ、１３５Ｃを外してから、仕切り棚板部材１２０Ａと仕切り棚板部材１２０Ｂを外し、次いで、仕切り壁形成部材１３０Ａ、１３０Ｂ、１３０Ｃを取り外すこととなる。
【００３１】
なお、前述したフリーロール１３５は、仕切り壁形成部材１３０の棚装着用突起１３３に接近して設けているため、仕切り棚板部材１２０が脱落しそうになったり、あるいは、仕切り棚板部材１２０の突起係合用アダプタ１２２が外力により外れそうになっても、仕切り棚板部材１２０や突起係合用アダプタ１２２がフリーロール１３５に当接して外れず、仕切り棚板部材１２０の脱落を未然に防ぐことができる。
また、フリーロール１３５のロール径は、仕切り壁形成部材１３０のコの字状フレーム１３１の厚みより大きくなっており、コの字状フレーム１３１とケーブル類Ｃとの接触を回避して、ケーブル類Ｃが回動自在なフリーロール１３５と直接接触するため、ケーブル類Ｃが仕切り壁形成部材１３０の角部や棚装着用突起１３１にあたらず、ケーブル類Ｃの被覆の損傷を防ぐことができるようになっている。
【００３２】
このようにして、本実施例のケーブル類保護案内装置１００では、仕切り壁形成部材１３０に対する仕切り棚板部材１２０の脱落防止機構が、棚装着用突起１３３の凸状脱落防止部１３３ａと突起係合用アダプタ１２２の凹状脱落防止部１２２ａとの間に形成されているため、挿通したケーブル類Ｃと棚装着用突起１３３との接触を回避してケーブル類Ｃの被覆部分における損傷を未然に防止でき、また、仕切り壁形成部材１３０の棚装着用突起１３３に係合する仕切り棚板部材１２０の突起係合用アダプタ１２２が棚板長手方向の両端部に備えているため、仕切り壁形成部材１３０に形成された所望の棚装着用突起１３３に突起係合用アダプタ１２２を係合させて仕切り壁形成部材１３０と仕切り棚板部材１２０との着脱を簡便に達成でき、その効果は甚大である。
【００３３】
つぎに、本発明の第２実施例であるケーブル類保護案内装置を図６乃至図８に基づいて説明する。
図６は、本発明の第２実施例であるケーブル類保護案内装置に用いた仕切り棚板部材２２０の斜視図であり、図７は、仕切り棚板部材と仕切り壁形成部材との組み付け状態を示す図であり、図８は、フリーロールの組み付け状態を示す図である。
なお、本実施例のケーブル類保護案内装置は、前述したケーブル類保護案内装置１００と比較すると、仕切り棚板部材２２０の具体的形態が異なっているが、その余の装置構成については何ら変わりないため、前述した第１実施例のケーブル類保護案内装置１００と同じ構成については符号を２００番台に変えてその説明を省略する。
【００３４】
まず、図６乃至図８に示すように、本発明の第２実施例のケーブル類保護案内装置において最も特徴としている仕切り棚板部材２２０は、前述した仕切り棚板部材２２０と同様に棚板本体２２１を備えているとともに、この棚板本体２２１の両端にそれぞれ着脱自在に装着される突起係合用アダプタ２２２、２２２を備えている。
すなわち、前記突起係合用アダプタ２２２には、上下に隣り合う２本の棚装着用突起２３３、２３３に分岐して係合する２つの係止用孔部２２２ａ、２２２ａが設けられているとともに、仕切り壁形成部材２３０の凸状脱落防止部２３３ａと係合することで仕切り棚板部材２２０の脱落を回避する凹状脱落防止部２２２ｂが係止用孔部２２２ａの一部を開放する状態で設けられ、さらに、前記凹状脱落防止部２２２ｂに連続して弾性変形させるたスリット部２２２ｃが係止用孔部２２２ａの一部を切り欠いて設けられて、仕切り壁形成部材２３０の凸状脱落防止部２３３ａが嵌合する際に生じる挿通抵抗を回避するようになっている。
【００３５】
そこで、図７乃至図８は、２つの仕切り壁形成部材２３０Ａ、２３０Ｂと、仕切り棚板部材２２０とを組み付ける場合を示している。
すなわち、仕切り棚板部材２２０は、図示しない屈曲内周側連結板１１２に装着された２つの仕切り壁形成部材２３０Ａ、２３０Ｂに装着する。このとき、図６に示すように、仕切り棚板部材２２０の両端に設けた突起係合用アダプタ２２２が、上下に隣り合う２本の棚装着用突起２３３、２３３に分岐して係合する２つの係止用孔部２２１ａ，２２１ａを備えているため、図７に示すように、突起係合用アダプタ２２２に設けられた２つの係止用孔部２２１ａ、２２１ａが、仕切り壁形成部材２３０Ａと仕切り壁形成部材２３０Ｂの上から４段目の棚装着用突起２３３と上から５段目の棚装着用突起２３３にそれぞれ嵌合するように装着され、このような突起係合用アダプタ２２２を両端に備えた仕切り棚板部材２２０は、２つの仕切り壁形成部材２３０Ａ、２３０Ｂに対して計４ヶ所で装着されることになる。
【００３６】
つぎに、仕切り棚板部材２２０を仕切り壁形成部材２３０Ａと仕切り壁形成部材２３０Ｂとに装着した状態で、フリーロール２３５をそれぞれ装着する。このフリーロール２３５を装着する際には、図８に示すように、仕切り壁形成部材２３０Ａ、２３０Ｂの上下の端部を引張って変形させてから仕切り壁形成部材の軸受け孔部２３４、２３４の両方にフリーロール２３５の突出軸部を嵌め込んで、フリーロール２３５を回動自在に装着する。
最後に、屈曲外周側連結板２１３を閉めて仕切り壁形成部材２３０Ａ、２３０Ｂを固定する。
【００３７】
したがって、このようにして得られた本発明の第２実施例であるケーブル類保護案内装置は、前述した第１実施例のケーブル類保護案内装置１００が奏することのできる効果に加えて、突起係合用アダプタ２２２が上下に隣り合う２本の棚装着用突起２３３、２３３に係合するように構成されていることにより、仕切り棚板部材２２０に加わるケーブル類Ｃの荷重が大きくても仕切り壁形成部材２３０から仕切り棚板部材２２０が脱落するのを防止して仕切り壁形成部材２３０と仕切り棚板部材２２０とが破損するのを防止でき、その効果は甚大である。
【図面の簡単な説明】
【００３８】
【図１】本発明の第１実施例であるケーブル類保護案内装置の斜視図。
【図２】図１に示した仕切り壁形成部材の斜視図。
【図３】図１に示した仕切り棚板部材の斜視図。
【図４】仕切り棚板部材と仕切り壁形成部材との組み付け状態を示す図。
【図５】フリーロールの組み付け状態を示す図。
【図６】本発明の第２実施例で用いた仕切り棚板部材の斜視図。
【図７】仕切り棚板部材と仕切り壁形成部材との組み付け状態を示す図。
【図８】フリーロールの組み付け状態を示す図。
【符号の説明】
【００３９】
１００・・・ケーブル類保護案内装置
１１０・・・リンク枠体
１１１・・・リンクプレート
１１２・・・屈曲内周側連結板
１１３・・・屈曲外周側連結板
１１４・・・連結ピン
１１５・・・連結ピン孔
１２０，２２０・・・仕切り棚板部材
１２１，２２１・・・棚板本体
１２２，２２２・・・突起係合用アダプタ
１２２ａ，２２２ａ・・・係止用孔部
１２２ｂ，２２２ｂ・・・凹状脱落防止部
１２２ｃ，２２２ｃ・・・スリット部
１３０，２３０・・・仕切り壁形成部材
１３１，２３１・・・コの字状フレーム
１３２，２３２・・・爪部
１３３，２３３・・・棚装着用突起
１３３ａ，２３３ａ・・・凸状脱落防止部
１３４，２３４・・・軸受け孔部
１３５，２３５・・・フリーロール
Ｃ・・・ケーブル類
Ｒ・・・ケーブル類収容空間
【図１】
2006132695.tif 000003
【図２】
2006132695.tif 000004
【図３】
2006132695.tif 000005
【図４】
2006132695.tif 000006
【図５】
2006132695.tif 000007
【図６】
2006132695.tif 000008
【図７】
2006132695.tif 000009
【図８】
2006132695.tif 000010
【手続補正書】
【提出日】平成16年11月16日(2004.11.16)
【手続補正１】
【補正対象書類名】明細書
【補正対象項目名】００３５
【補正方法】変更
【補正の内容】
【００３５】
そこで、図６乃至図８は、２つの仕切り壁形成部材２３０Ａ、２３０Ｂと、仕切り棚板部材２２０とを組み付ける場合を示している。
すなわち、仕切り棚板部材２２０は、図示しない屈曲内周側連結板１１２に装着された２つの仕切り壁形成部材２３０Ａ、２３０Ｂに装着する。このとき、図６および図８に示すように、仕切り棚板部材２２０の両端に設けた突起係合用アダプタ２２２が、上下に隣り合う２本の棚装着用突起２３３、２３３に分岐して係合する２つの係止用孔部２２２ａ，２２２ａを備えているため、図７に示すように、突起係合用アダプタ２２２に設けられた２つの係止用孔部２２２ａ、２２２ａが、仕切り壁形成部材２３０Ａと仕切り壁形成部材２３０Ｂの上から４段目の棚装着用突起２３３と上から５段目の棚装着用突起２３３にそれぞれ嵌合するように装着され、このような突起係合用アダプタ２２２を両端に備えた仕切り棚板部材２２０は、２つの仕切り壁形成部材２３０Ａ、２３０Ｂに対して計４ヶ所で装着されることになる。